Podtech/llm-jp-corpus-v4-ja_patent huggingface dataset:
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
データを送信する送信部と、
ユーザ操作に基づく情報を表示する設定欄を有し、前記データの宛先の種類を示す複数の送信区分の中から送信区分を選択するための操作と前記選択された送信区分における宛先を指定するための操作とが行われるユーザ操作部と、
前記選択された送信区分と前記指定された宛先とを含む宛先情報を記憶し、前記宛先情報に基づいて前記設定欄における表示を制御する制御部と
を備え、
前記制御部は、
前記ユーザ操作部で送信区分が選択されたときに、前記選択された送信区分についての前記指定された宛先を記憶していれば、前記設定欄に前記選択された送信区分と前記選択された送信区分についての前記指定された宛先とを表示する
ことを特徴とするデータ送信装置。
【請求項２】
前記制御部は、
前記ユーザ操作部で送信区分が選択されたときに、前記選択された送信区分についての前記指定された宛先を記憶していれば、前記ユーザ操作部を宛先の追加指定待ち状態とする
ことを特徴とする請求項１に記載のデータ送信装置。
【請求項３】
前記制御部は、
前記ユーザ操作部で他の送信区分が選択されたときに、前記選択された他の送信区分についての前記指定された宛先を記憶していなければ、前記設定欄に前記選択された他の送信区分を表示し、前記選択された送信区分の宛先は空欄として表示する
ことを特徴とする請求項１又は２に記載のデータ送信装置。
【請求項４】
前記制御部は、
前記ユーザ操作部で他の送信区分が選択されたときに、前記選択された他の送信区分についての前記指定された宛先を記憶していなければ、前記ユーザ操作部を宛先の新規指定待ち状態とする
ことを特徴とする請求項３に記載のデータ送信装置。
【請求項５】
前記制御部は、前記選択された送信区分についての宛先の数を前記設定欄に表示することを特徴とする請求項１から４のいずれか１項に記載のデータ送信装置。
【請求項６】
前記制御部は、前記選択された送信区分において指定された複数の宛先を前記設定欄内において移動させながら表示することを特徴とする請求項１から４のいずれか１項に記載のデータ送信装置。
【請求項７】
前記設定欄の個数は、選択可能な前記複数の送信区分の数よりも少ないことを特徴とする請求項１から６のいずれか１項に記載のデータ送信装置。
【請求項８】
前記設定欄の個数は、１つであることを特徴とする請求項１から７のいずれか１項に記載のデータ送信装置。
【請求項９】
前記複数の送信区分は、
前記宛先が前記データを受け取る第１の受信者であることを示す第１の送信区分と、
前記宛先が前記データと同じ内容の写しデータを受け取る第２の受信者であることを示す第２の送信区分と、
前記宛先が前記データと同じ内容の写しデータを受け取る第３の受信者であり、自身以外の受信者に自身が宛先であることを知らせない送信区分である第３の送信区分と
を含む
ことを特徴とする請求項１から８のいずれか１項に記載のデータ送信装置。
【請求項１０】
前記送信部は、電子メールを送信する送信部であり、
前記データは、前記電子メールの添付ファイルであり、
前記宛先は、電子メールアドレスで指定される、
ことを特徴とする請求項１から９のいずれか１項に記載のデータ送信装置。
【請求項１１】
前記データを生成するスキャナ部をさらに有することを特徴とする請求項１から１０のいずれか１項に記載のデータ送信装置。
【請求項１２】
前記ユーザ操作部は、前記情報を表示する表示部と、前記表示部における表示内容を切り替えるためのユーザ操作を受け付けるタブとを有することを特徴とする請求項１から１１のいずれか１項に記載のデータ送信装置。
【請求項１３】
前記ユーザ操作部の前記設定欄は、
前記複数の送信区分の中の１つを表示し、且つ、送信区分の選択のためのユーザ操作を受け付けるオブジェクトを含む第１の設定欄と、
前記第１の設定欄に表示されている送信区分における１以上の宛先を表示するための第２の設定欄と、を含む
ことを特徴とする請求項１から１２のいずれか１項に記載のデータ送信装置。
【請求項１４】
前記制御部は、前記ユーザ操作部で送信区分の選択操作を行うごとに、前記選択されている送信区分の切り替えを行うことを特徴とする請求項１から１３のいずれか１項に記載のデータ送信装置。
【請求項１５】
前記制御部は、前記送信部が前記データを送信した後に、前記制御部が一時記憶している前記宛先情報を削除することを特徴とする請求項１から１４のいずれか１項に記載のデータ送信装置。
【請求項１６】
請求項１から１４のいずれか１項に記載のデータ送信装置を備えることを特徴とする画像形成装置。
【手続補正２】
【補正対象書類名】明細書
【補正対象項目名】０００６
【補正方法】変更
【補正の内容】
【０００６】
本発明に係るデータ送信装置は、データを送信する送信部と、ユーザ操作に基づく情報を表示する設定欄を有し、前記データの宛先の種類を示す複数の送信区分の中から送信区分を選択するための操作と前記選択された送信区分における宛先を指定するための操作とが行われるユーザ操作部と、前記選択された送信区分と前記指定された宛先とを含む宛先情報を記憶し、前記宛先情報に基づいて前記設定欄における表示を制御する制御部とを備え、前記制御部は、前記ユーザ操作部で送信区分が選択されたときに、前記選択された送信区分についての前記指定された宛先を記憶していれば、前記設定欄に前記選択された送信区分と前記選択された送信区分についての前記指定された宛先とを表示することを特徴とする。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
フレームと、前記フレーム内で連結されるヨークと、前記ヨーク内に位置するボイスコイルと、を備え、
前記フレームが、２つの連結部を有し、
前記ヨークが、前記２つの連結部にそれぞれ接する２つの被連結部を有し、
前記ボイスコイルの引出線は、前記２つの連結部のうち、一方の連結部の端部の近傍から引き出され、前記２つの連結部の間及び前記２つの被連結部の間に位置する空間を横切り、他方の前記連結部の端部の近傍にある端子部に接続される
ことを特徴とするスピーカ装置。
【請求項２】
前記他方の連結部に接する被連結部の前記端子部側の端部が、前記他方の連結部の前記端子部側の端部よりも前記一方の連結部側に位置している
ことを特徴とする請求項１に記載のスピーカ装置。
【請求項３】
前記一方の連結部に接する被連結部の前記引出線の引出部側の端部が、前記一方の連結部の前記引出線の引出部側の端部よりも前記他方の連結部側に位置している
ことを特徴とする請求項１又は２に記載のスピーカ装置。
【請求項４】
前記他方の連結部に接する被連結部の前記端子部側の端部と、前記他方の連結部の前記端子部側の端部と、の距離が、前記一方の連結部に接する被連結部の前記引出線の引出部側の端部と、前記一方の連結部の前記引出線の引出部側の端部と、の距離よりも長い
ことを特徴とする請求項３に記載のスピーカ装置。
【請求項５】
前記ヨークは、筒部と、前記筒部から前記フレームに向かって突出したフランジ部と、を有し、
前記筒部内に磁石及びプレートが配置され、
前記筒部における前記フランジ部が突出している部分の背面と前記プレートとの間に磁気ギャップが形成されている
ことを特徴とする請求項１〜４何れか１項に記載のスピーカ装置。
【請求項６】
振動板と、前記振動板を前記フレームに支持するエッジと、を備え、
前記フレームの前記エッジの取付面には、前記引出線の一部が取り付けられる凹部が設けられている
ことを特徴とする請求項５に記載のスピーカ装置。
【請求項７】
前記フレームの前記２つの連結部間には、開口部が形成されている
ことを特徴とする請求項６に記載のスピーカ装置。
【請求項８】
前記ボイスコイルは、筒を介して前記振動板に取り付けられており、
前記引出線は、前記振動板側にある前記ボイスコイルの一部から引き出され、
前記引出線は、前記振動板又は前記エッジと前記ヨーク及び前記フレームの間に位置する前記空間を通る
ことを特徴とする請求項６に記載のスピーカ装置。
【手続補正２】
【補正対象書類名】明細書
【補正対象項目名】０００６
【補正方法】変更
【補正の内容】
【０００６】
上記課題を解決するために、請求項１に記載のスピーカ装置は、フレームと、前記フレーム内で連結されるヨークと、前記ヨーク内に位置するボイスコイルと、を備え、前記フレームが、２つの連結部を有し、前記ヨークが、前記２つの連結部にそれぞれ接する２つの被連結部を有し、前記ボイスコイルの引出線は、前記２つの連結部のうち、一方の連結部の端部の近傍から引き出され、前記２つの連結部の間及び前記２つの被連結部の間に位置する空間を横切り、他方の前記連結部の端部の近傍にある端子部に接続されることを特徴とする。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
金属製筺体に収納された電子機器からの出力信号に混入するノイズを低減する出力ノイズ低減装置であって、
導電性材料により形成され、一方の端部を前記電子機器に係る出力端に接続する接続端子とし、他方の端部を出力端子とする導電バーと、
磁性材料により形成され、前記導電バーが貫通する貫通穴を有する第１磁性体コアと、
樹脂材料により形成され、前記接続端子および前記出力端子を除く前記導電バーと前記第１磁性体コアとをモールドするモールド部と、
前記モールド部によりモールドされ、前記第１磁性体コアおよび前記出力端子の間の前記導電バーに固着される第１固定部と、前記金属製筺体に接続される第２固定部と、前記第１固定部と前記第２固定部との間を容量素子で接続する第１実装基板とを備え、
前記出力端子から、少なくとも、前記第１実装基板の容量素子の容量成分を有する本体部分の一部までは、前記電子機器からの電磁的結合が分離されることを特徴とする出力ノイズ低減装置。
【請求項２】
前記モールド部によりモールドされ、前記第１磁性体コアおよび前記接続端子の間の前記導電バーに固着される第３固定部と、前記金属製筐体に接続される第４固定部と、前記第３固定部と前記第４固定部との間を容量素子で接続する第２実装基板とを備えることを特徴とする請求項１に記載の出力ノイズ低減装置。
【請求項３】
前記導電バーの前記接続端子が前記金属製筐体の内部において前記電子機器の前記出力端に接続され、前記導電バーの前記出力端子が前記導電バーの貫通する前記金属製筐体の開口を介して前記金属製筐体より外方に配置された状態で、前記第１実装基板の容量素子の容量成分を有する本体部分の少なくとも一部が、前記金属製筺体より外方に位置し、あるいは前記金属製筐体の開口内に位置することを特徴とする請求項１または２に記載の出力ノイズ低減装置。
【請求項４】
前記第１磁性体コアは、少なくとも前記出力端子側の一部が前記金属製筺体より外方に位置し、あるいは少なくとも前記出力端子側の一部が前記金属製筐体の開口内に位置することを特徴とする請求項３に記載の出力ノイズ低減装置。
【請求項５】
前記第１磁性体コアの前記導電バーの貫通方向の端面のうち少なくとも何れか一端面には、電磁遮蔽板を備えることを特徴とする請求項１乃至４の何れか１項に記載の出力ノイズ低減装置。
【手続補正書】
【提出日】平成29年3月3日(2017.3.3)
【手続補正１】
【補正対象書類名】明細書
【補正対象項目名】発明の名称
【補正方法】変更
【補正の内容】
【発明の名称】遠隔読影システム、遠隔読影システムの制御方法、およびコンピュータプログラム
【手続補正２】
【補正対象書類名】明細書
【補正対象項目名】０００１
【補正方法】変更
【補正の内容】
【０００１】
本発明は、遠隔読影システム、遠隔読影システムの制御方法、およびコンピュータプログラムに関し、特に、装置の負荷を低減しつつ複数の医用画像データを暗号化することができる仕組みに関する。
【手続補正３】
【補正対象書類名】明細書
【補正対象項目名】０００９
【補正方法】変更
【補正の内容】
【０００９】
本発明は、装置の負荷を低減しつつ複数の医用画像データを暗号化することができる仕組みを提供することを目的とする。
【手続補正４】
【補正対象書類名】明細書
【補正対象項目名】００１０
【補正方法】変更
【補正の内容】
【００１０】
本発明は、医用画像生成装置で生成された複数の医用画像データを検査に対応付けて管理する管理手段と、前記管理手段により管理される前記複数の医用画像データを前記検査ごとに暗号化する暗号化手段とを備えることを特徴とする。
【手続補正５】
【補正対象書類名】明細書
【補正対象項目名】００１１
【補正方法】変更
【補正の内容】
【００１１】
また、本発明は、医用画像生成装置で生成された複数の医用画像データを検査に対応付けて管理する管理手段を備える遠隔読影システムの制御方法であって、前記遠隔読影システムの暗号化手段が、前記管理手段により管理される前記複数の医用画像データを前記検査ごとに暗号化する暗号化ステップを備えることを特徴とする。
【手続補正６】
【補正対象書類名】特許請求の範囲
【補正対象項目名】全文
【補正方法】変更
【補正の内容】
【特許請求の範囲】
【請求項１】
医用画像生成装置で生成された複数の医用画像データを検査に対応付けて管理する管理手段と、
前記管理手段により管理される前記複数の医用画像データを前記検査ごとに暗号化する暗号化手段と、
を備えることを特徴とする遠隔読影システム。
【請求項２】
前記遠隔読影システムは、前記暗号化手段で前記医用画像データを暗号化するための暗号化情報を生成する暗号化情報生成手段
をさらに備え、
前記暗号化情報生成手段は、検査ごとに共通の暗号化情報を生成し、
前記暗号化手段は、前記暗号化情報を用いて前記医用画像データを暗号化することを特徴とする請求項１に記載の遠隔読影システム。
【請求項３】
前記遠隔読影システムは、前記検査の情報と医用画像データの読影依頼に関する情報とを含む依頼情報を受け付ける依頼情報受付手段
をさらに備え、
前記暗号化情報生成手段は、前記依頼情報に含まれる前記検査の情報ごとに暗号化情報を生成することを特徴とする請求項２に記載の遠隔読影システム。
【請求項４】
前記暗号化情報生成手段は、前記依頼情報に暗号化情報を生成済みでない検査の情報が含まれている場合には新たに暗号化情報を生成し、前記依頼情報に暗号化情報を生成済みである検査の情報が含まれている場合には暗号化情報を生成しないことを特徴とする請求項３に記載の遠隔読影システム。
【請求項５】
前記管理手段は、前記暗号化手段により暗号化された前記医用画像データを復号するための復号情報を管理し、
前記暗号化手段により暗号化された前記医用画像データを、前記管理手段に管理された復号情報を用いて復号する復号手段を備えることを特徴とする請求項１に記載の遠隔読影システム。
【請求項６】
前記復号手段により復号した前記医用画像データを記憶する医用画像記憶手段と、
前記遠隔読影システムにログインしているユーザのログアウト指示を受け付けるログアウト指示受付手段と、
前記ログアウト指示受付手段により、ログアウト指示を受け付けると、前記医用画像記憶手段に記憶された前記医用画像データを削除する削除手段と
を備えることを特徴とする請求項５に記載の遠隔読影システム。
【請求項７】
前記遠隔読影システムは、前記管理手段において管理される前記医用画像データであって、前記遠隔読影システムにログインしているユーザに対応する医用画像データを取得する取得手段と、
前記取得手段で取得した前記医用画像データを閲覧するための表示指示受付手段と、
をさらに備え、
前記復号手段は、前記取得手段で取得した複数の医用画像データのうち、前記表示指示受付手段で表示指示を受け付けた医用画像データを復号することを特徴とする請求項５または６に記載の遠隔読影システム。
【請求項８】
前記遠隔読影システムは、前記医用画像データを閲覧するためのクライアント端末を含み、
前記クライアント端末が、前記暗号化手段を備えることを特徴とする請求項１乃至７のいずれか１項に記載の遠隔読影システム。
【請求項９】
医用画像生成装置で生成された複数の医用画像データを検査に対応付けて管理する管理手段を備える遠隔読影システムの制御方法であって、
前記遠隔読影システムの暗号化手段が、前記管理手段により管理される前記複数の医用画像データを前記検査ごとに暗号化する暗号化ステップを備えることを特徴とする遠隔読影システムの制御方法。
【請求項１０】
コンピュータを、請求項１乃至８のいずれか１項に記載の遠隔読影システムの各手段として機能させるためのコンピュータプログラム。
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
複数の出力部を有し、蓄積時間がそれぞれ異なる複数の画像信号を並行して蓄積することが可能な撮像素子と、
前記蓄積時間がそれぞれ異なる複数の画像信号を、前記複数の出力部のそれぞれから並列に出力するように、前記撮像素子を駆動する駆動手段と、
前記蓄積時間がそれぞれ異なる複数の画像信号の比較演算を行うことにより、１フレームの画像内の光量変動を検出する検出手段と、
を備えることを特徴とする撮像装置。
【請求項２】
前記撮像素子による撮像条件を、前記検出手段により検出される前記光量変動に応じて変更する調整手段をさらに備えることを特徴とする請求項１に記載の撮像装置。
【請求項３】
前記比較演算は、減算処理または除算処理を含むことを特徴とする請求項１に記載の撮像装置。
【請求項４】
前記撮像条件とは、前記撮像素子における蓄積時間を含むことを特徴とする請求項２に記載の撮像装置。
【請求項５】
前記光量変動は、１フレームの画像内に現れる光量変動の有無、光量変動の周波数、光量変動の振幅、光量変動の位相の少なくとも１つを含むことを特徴とする請求項１に記載の撮像装置。
【請求項６】
前記比較演算は減算処理であり、前記検出手段は、前記光量変動の有無を、前記減算処理の結果の絶対値の積算により算出された値を元に判定することを特徴とする請求項１に記載の撮像装置。
【請求項７】
前記比較演算は除算処理であり、前記検出手段は、前記光量変動の有無を、前記除算処理の結果から１を引いた値の絶対値の積算により算出された値を元に判定することを特徴とする請求項１に記載の撮像装置。
【請求項８】
前記複数の画像信号のうちの少なくとも１つの画像信号は、前記撮像素子において、画像信号の一方向に正規化されて出力されることを特徴とする請求項１に記載の撮像装置。
【請求項９】
前記正規化とは、前記画像信号のライン方向に積算することであることを特徴とする請求項８に記載の撮像装置。
【請求項１０】
前記正規化とは、前記画像信号のライン方向に所定の区間で分けられ、各々の前記所定の区間で重み付けの値が乗算され積算されることであることを特徴とする請求項８に記載の撮像装置。
【請求項１１】
前記検出手段で検出された前記光量変動に基づいて、前記複数の画像信号のうちの少なくとも１つの画像信号を補正するための補正値を生成する生成手段と、前記補正値を、前記少なくとも１つの画像信号に対して適用することで、該少なくとも１つの画像信号を補正する補正手段と、をさらに備えることを特徴とする請求項１に記載の撮像装置。
【請求項１２】
複数の出力部を有し、蓄積時間がそれぞれ異なる複数の画像信号を並行して蓄積することが可能な撮像素子を備える撮像装置を制御する方法であって、
前記蓄積時間がそれぞれ異なる複数の画像信号を、前記複数の出力部のそれぞれから並列に出力するように、前記撮像素子を駆動する駆動工程と、
前記蓄積時間がそれぞれ異なる複数の画像信号の比較演算を行うことにより、１フレームの画像内の光量変動を検出する検出工程と、
を有することを特徴とする撮像装置の制御方法。
【請求項１３】
請求項１２に記載の制御方法の各工程をコンピュータに実行させるためのプログラム。
【請求項１４】
請求項１２に記載の制御方法の各工程をコンピュータに実行させるためのプログラムを記憶したコンピュータが読み取り可能な記憶媒体。
【手続補正２】
【補正対象書類名】明細書
【補正対象項目名】０００７
【補正方法】変更
【補正の内容】
【０００７】
本発明に係わる撮像装置は、複数の出力部を有し、蓄積時間がそれぞれ異なる複数の画像信号を並行して蓄積することが可能な撮像素子と、前記蓄積時間がそれぞれ異なる複数の画像信号を、前記複数の出力部のそれぞれから並列に出力するように、前記撮像素子を駆動する駆動手段と、前記蓄積時間がそれぞれ異なる複数の画像信号の比較演算を行うことにより、１フレームの画像内の光量変動を検出する検出手段と、を備えることを特徴とする。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
画像の読み取りを行うための複数の画素を有する読取手段と、
前記読取手段の前記複数の画素に対して駆動信号を出力する駆動手段と、
前記読取手段を画像読取装置の本体に対して接続する接続手段と、を備え、
前記駆動手段により、前記読取手段の複数の画素のうちの外光に反応しない無効画素の特定の画素に識別信号を挿入し、前記特定の画素の信号レベルを調べることにより、前記読取手段が前記接続手段により正しく接続されているか否かを検出することを特徴とする画像読取装置。
【請求項２】
前記特定の画素の信号レベルを予め決められた閾値と比較することによって、前記読取手段が前記接続手段により正しく接続されているか否かを検出することを特徴とする請求項１に記載の画像読取装置。
【請求項３】
前記特定の画素の信号レベルと通常の画素の信号レベルとの差分を予め決められた閾値と比較することによって、前記読取手段が前記接続手段により正しく接続されているか否かを検出することを特徴とする請求項１に記載の画像読取装置。
【請求項４】
前記読取手段の有効画素よりも前に読み出される前記無効画素の特定の画素に前記識別信号を挿入することを特徴とする請求項１乃至３のいずれか１項に記載の画像読取装置。
【請求項５】
前記読取手段の有効画素よりも後に読み出される前記無効画素の特定の画素に前記識別信号を挿入することを特徴とする請求項１乃至３のいずれか１項に記載の画像読取装置。
【請求項６】
前記駆動手段におけるタイミング発生器の信号を判別して、前記特定の画素に前記識別信号を挿入するか否かを切り替えることを特徴とする請求項１乃至５のいずれか１項に記載の画像読取装置。
【請求項７】
前記駆動手段におけるタイミング発生器において、前記読取手段の接続を検出する場合と画像を読み取る場合とで異なる信号を生成することを特徴とする請求項１乃至６のいずれか１項に記載の画像読取装置。
【請求項８】
前記駆動手段におけるタイミング発生器において、前記読取手段の接続を検出する場合と画像を読み取る場合とで１ラインの画素周期が異なることを特徴とする請求項７に記載の画像読取装置。
【請求項９】
画像の読み取りを行うための複数の画素を有する読取手段と、前記読取手段の前記複数の画素に対して駆動信号を出力する駆動手段と、前記読取手段を画像読取装置の本体に対して接続する接続手段とを備える画像読取装置を制御する方法であって、
前記駆動手段により、前記読取手段の複数の画素のうちの外光に反応しない無効画素の特定の画素に識別信号を挿入させ、前記特定の画素の信号レベルを調べることにより、前記読取手段が前記接続手段により正しく接続されているか否かを検出することを特徴とする画像読取装置の制御方法。
【請求項１０】
請求項９に記載の制御方法の各工程をコンピュータに実行させるためのプログラム。
【請求項１１】
請求項９に記載の制御方法の各工程をコンピュータに実行させるためのプログラムを記憶したコンピュータが読み取り可能な記憶媒体。
【手続補正２】
【補正対象書類名】明細書
【補正対象項目名】０００６
【補正方法】変更
【補正の内容】
【０００６】
本発明に係わる画像読取装置は、画像の読み取りを行うための複数の画素を有する読取手段と、前記読取手段の前記複数の画素に対して駆動信号を出力する駆動手段と、前記読取手段を画像読取装置の本体に対して接続する接続手段と、を備え、前記駆動手段により、前記読取手段の複数の画素のうちの外光に反応しない無効画素の特定の画素に識別信号を挿入し、前記特定の画素の信号レベルを調べることにより、前記読取手段が前記接続手段により正しく接続されているか否かを検出することを特徴とする。
【手続補正書】
【提出日】平成29年7月20日(2017.7.20)
【手続補正１】
【補正対象書類名】明細書
【補正対象項目名】００２３
【補正方法】変更
【補正の内容】
【００２３】
また、ヘッドカバーは、印刷ヘッドの背面側に位置し、第１カバー側壁に対面する第３カバー側壁と、第２カバー側壁に対面する第４カバー側壁と、を更に有し、第３カバー側壁は、印刷テープの送り方向と同方向に延在し、ガイド凸部は、第３カバー側壁の外面に突設された第１凸部を有していることが好ましい。
【手続補正２】
【補正対象書類名】明細書
【補正対象項目名】００２５
【補正方法】変更
【補正の内容】
【００２５】
さらに、ガイド凸部は、第２カバー側壁の外面に突設された第２凸部、および第４カバー側壁の外面に突設された第３凸部を有していることが好ましい。
【手続補正３】
【補正対象書類名】明細書
【補正対象項目名】００８２
【補正方法】変更
【補正の内容】
【００８２】
なお、第１実施形態では、本体側当接部６５をヘッドカバー４３と同一高さと同一となるように形成しているが、これより短く（低く）形成してもよい。同様に、カートリッジ側当接部１６６も短く形成してもよい。また、前述のとおりテープカートリッジ１００には、印刷テープ１０２の複数の幅に合わせて複数の厚みのものが存在する。厚みの大きいものの場合は、印刷ヘッド２１（ヘッドカバー４３）が挿入される挿入開口１３４が、必ずしも貫通孔である必要はなく、印刷ヘッド２１を収容できるものであれば天井のある袋孔であってもよい。その場合は、この袋孔の袋の深さの範囲内の長さでカートリッジ側当接部１６６を設ければよい。
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
インクを吐出してプリントを行うヘッドと、
前記ヘッドの近傍の空気を吸引する吸引口と、前記吸引口から吸引した空気を排出する排気口とを有するミスト回収部と、
を備えるプリント装置であって、
前記ミスト回収部のユニット内部には、前記吸引口の側の第１空間領域と、前記排気口の側の第２空間領域と、前記第１空間領域と前記第２空間領域との仕切りが設けられており、前記吸引口から吸引された空気は前記第１空間領域、前記第２空間領域の順に流れて前記排気口から排出されることを特徴とするプリント装置。
【請求項２】
前記仕切りには連通口が設けられており、前記吸引口から吸引された空気は前記第１空間領域から前記連通口を経て前記第２空間領域に移動することを特徴とする請求項１に記載のプリント装置。
【請求項３】
前記連通口は、前記吸引口の長手方向に亘って配置されていることを特徴とする請求項２に記載のプリント装置。
【請求項４】
前記連通口は、垂直方向において前記吸引口よりも上方に設けられ、前記吸引口の短手方向において前記吸引口とオフセットしていることを特徴とする請求項２または３に記載のプリント装置。
【請求項５】
前記ミスト回収部のユニット内部で液化した液体を受容する受容部が、前記ユニット内部に設けられていることを特徴とする請求項１から４のいずれか１項に記載のプリント装置。
【請求項６】
前記仕切りには連通口が設けられており、前記受容部は、前記連通口の重力方向の下方に設けられていることを特徴とする請求項５に記載のプリント装置。
【請求項７】
前記受容部から液体を排出する排出口と、前記排出口から液体を排出させる手段をさらに備えることを特徴とする請求項５または６に記載のプリント装置。
【請求項８】
前記ミスト回収部は、前記吸引口の近傍において空気を吹き出す吹出口を備えることを特徴とする請求項１から７のいずれか１項に記載のプリント装置。
【請求項９】
媒体が移動する方向に沿って前記ヘッドが複数設けられており、隣り合う前記ヘッドの間にそれぞれ前記ミスト回収部が設けられていることを特徴とする請求項１から８のいずれか１項に記載のプリント装置。
【請求項１０】
インクミストを含む空気を吸引する吸引口と、前記吸引口から吸引した空気を排出する排気口とを有するミスト回収装置であって、
前記ミスト回収装置のユニット内部には、前記吸引口の側の第１空間領域と、前記排気口の側の第２空間領域と、前記第１空間領域と前記第２空間領域との仕切りが設けられており、前記吸引口から吸引された空気は前記第１空間領域、前記第２空間領域の順に流れて前記排気口から排出されることを特徴とするミスト回収装置。
【手続補正２】
【補正対象書類名】明細書
【補正対象項目名】発明の名称
【補正方法】変更
【補正の内容】
【発明の名称】プリント装置およびミスト回収装置
【手続補正３】
【補正対象書類名】明細書
【補正対象項目名】０００７
【補正方法】変更
【補正の内容】
【０００７】
上記課題を解決するための本発明のプリント装置は、インクを吐出してプリントを行うヘッドと、前記ヘッドの近傍の空気を吸引する吸引口と、前記吸引口から吸引した空気を排出する排気口とを有するミスト回収部と、を備えるプリント装置であって、前記ミスト回収部のユニット内部には、前記吸引口の側の第１空間領域と、前記排気口の側の第２空間領域と、前記第１空間領域と前記第２空間領域との仕切りが設けられており、前記吸引口から吸引された空気は前記第１空間領域、前記第２空間領域の順に流れて前記排気口から排出されることを特徴とする。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
複数枚の原反紙を重ね合せた状態で加圧するカレンダ装置と、該カレンダ装置を出た原反紙にエンボス圧着加工を施すエンボス圧着装置と、エンボス圧着加工された原反紙を所望の幅寸法にスリットするスリット装置とを備えたティッシュペーパー製造設備であって、
前記カレンダ装置と前記エンボス圧着装置と前記スリット装置は、いずれも専用の駆動モータを備えており、前記各駆動モータを原反紙に一定の張力が作用するよう紙送り速度を制御する同期制御装置を備えている
ことを特徴とするティッシュペーパー製造設備。
【請求項２】
前記エンボス圧着装置は、
受ロールと該受ロールに当接できる位置に配置された２台のエンボスローラとからなり、前記２台のエンボスローラは、いずれもその外周面にエンボス加工面を１条のみ有しており、
前記２台のエンボスローラは、原反紙幅方向においてオフセットして配置されており、そのオフセット量は原反紙に施すべきエンボス加工ラインに合せられている
ことを特徴とする請求項１記載のティッシュペーパー製造設備。
【請求項３】
前記エンボスローラは、そのエンボス加工面が前記エンボスローラの外周面に形成された複数本の溝により区画された複数個の凸面からなり、
前記複数個の凸面は、該エンボスローラを側面視で見たとき円周方向において重なりが生じるように形成されている
ことを特徴とする請求項２記載のティッシュペーパー製造設備。
【請求項４】
複数枚の原反紙を重ね合せた状態でエンボス圧着加工を施すティッシュペーパーの製造方法であって、
専用の駆動モータを備えたカレンダ装置により複数枚の原反紙を重ね合せた状態で加圧し、
専用の駆動モータを備えたエンボス圧着装置により前記カレンダ装置を出た原反紙にエンボス圧着加工を施し、
専用の駆動モータを備えたスリット装置により、エンボス圧着加工された原反紙を所望の幅寸法にスリットする方法であって、
前記各駆動モータは同期制御装置により原反紙に一定の張力が作用するよう紙送り速度を制御する、
ことを特徴とするティッシュペーパーの製造方法。
【手続補正２】
【補正対象書類名】明細書
【補正対象項目名】発明の名称
【補正方法】変更
【補正の内容】
【発明の名称】ティッシュペーパー製造設備およびティッシュペーパーの製造方法
【手続補正３】
【補正対象書類名】明細書
【補正対象項目名】０００１
【補正方法】変更
【補正の内容】
【０００１】
本発明は、ティッシュペーパー製造設備およびティッシュペーパーの製造方法に関する。さらに詳しくは、ティッシュペーパーを製造する場合に用いられるティッシュペーパー製造設備およびティッシュペーパーの製造方法に関する。
【手続補正４】
【補正対象書類名】明細書
【補正対象項目名】００１０
【補正方法】変更
【補正の内容】
【００１０】
本発明は上記事情に鑑み、製造速度の高速化、たとえば従来の製造速度の約１．５倍に相当する１４００ｍ／分で運転しても原反紙にエンボス裂けが生じず、綺麗なエンボス圧着加工が施せ、しかも高能率生産が可能なティッシュペーパー製造設備およびティッシュペーパーの製造方法を提供することを目的とする。
【手続補正５】
【補正対象書類名】明細書
【補正対象項目名】００１１
【補正方法】変更
【補正の内容】
【００１１】
第１発明のティッシュペーパー製造設備は、複数枚の原反紙を重ね合せた状態で加圧するカレンダ装置と、該カレンダ装置を出た原反紙にエンボス圧着加工を施すエンボス圧着装置と、エンボス圧着加工された原反紙を所望の幅寸法にスリットするスリット装置とを備えたティッシュペーパー製造設備であって、前記カレンダ装置と前記エンボス圧着装置と前記スリット装置は、いずれも専用の駆動モータを備えており、前記各駆動モータを原反紙に一定の張力が作用するよう紙送り速度を制御する同期制御装置を備えていることを特徴とする。
第２発明のティッシュペーパー製造設備は、第１発明において、前記エンボス圧着装置は、受ロールと該受ロールに当接できる位置に配置された２台のエンボスローラとからなり、前記２台のエンボスローラは、いずれもその外周面にエンボス加工面を１条のみ有しており、前記２台のエンボスローラは、原反紙幅方向においてオフセットして配置されており、そのオフセット量は原反紙に施すべきエンボス加工ラインに合せられていることを特徴とする。
第３発明のティッシュペーパー製造設備は、第２発明において、前記エンボスローラは、そのエンボス加工面が前記エンボスローラの外周面に形成された複数本の溝により区画された複数個の凸面からなり、前記複数個の凸面は、該エンボスローラを側面視で見たとき円周方向において重なりが生じるように形成されていることを特徴とする。
第４発明のティッシュペーパーの製造方法は、複数枚の原反紙を重ね合せた状態でエンボス圧着加工を施すティッシュペーパーの製造方法であって、専用の駆動モータを備えたカレンダ装置により複数枚の原反紙を重ね合せた状態で加圧し、専用の駆動モータを備えたエンボス圧着装置により前記カレンダ装置を出た原反紙にエンボス圧着加工を施し、専用の駆動モータを備えたスリット装置により、エンボス圧着加工された原反紙を所望の幅寸法にスリットする方法であって、前記各駆動モータは同期制御装置により原反紙に一定の張力が作用するよう紙送り速度を制御することを特徴とする。
【手続補正６】
【補正対象書類名】明細書
【補正対象項目名】００１２
【補正方法】変更
【補正の内容】
【００１２】
第１発明によれば、エンボス圧着装置の前工程であるカレンダ装置と後工程であるスリット装置が同一の紙送り速度で運転できるので、原反紙に作用するテンションが常に同一となる。このためエンボス圧着加工時にエンボス圧着加工部からの紙裂けが生じなくなる。このため、従来装置以上の高速加工が可能となる。
第２発明によれば、エンボス加工面が１条のみであるので、従来装置で生じていたような片当りが生じない。このため、安定したエンボス圧着加工ができるので、高速加工が可能となる。
第３発明によれば、エンボス加工面は円周方向では３６０°全周で溝が現われず、凸面のみが受ロールに当接することになるので、当接圧の瞬間的変動が生じず、振動も発生しない。このため高速加工が可能となる。
第４発明によれば、エンボス圧着装置の前工程であるカレンダ装置と後工程であるスリット装置との間で、原反紙に作用する張力が一定となるためティッシュペーパーのエンボス圧着加工部からの紙裂けが生じなくなる。このため、従来装置以上の高速加工が可能となる。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
閉塞サイトを横切るアクセスを提供するシステムであって、
膨張ルーメンを有するスリーブと、
前記スリーブの遠位部に配置されたブッシングと、
前記ブッシングにより前記スリーブに連結された外返り部材であって、前記膨張ルーメン中の圧力の増加に応じて、前記スリーブ内側の内返り位置から前記スリーブ外側の外返り位置に移動可能である外返り部材と、
を含むシステム。
【請求項２】
前記外返り部材が、前記ブッシングの中に部分的に内返しされた請求項１に記載のシステム。
【請求項３】
前記スリーブに連結されたアンカー部材であって、前記アンカー部材は、前記膨張ルーメンと流体連通しており、前記膨張ルーメンが、閉塞サイトに近接して前記スリーブを固定するのに十分なアンカー圧力に加圧されると、前記スリーブを閉塞サイト近傍に固定するように、収縮位置から膨張位置に拡張可能なアンカー部材をさらに含む請求項１に記載のシステム。
【請求項４】
前記スリーブが、前記ブッシングを受容する大きさの、広がった遠位部分を含む請求項１に記載のシステム。
【請求項５】
閉塞サイトを横切るアクセスを提供するシステムであって、
ルーメンを有するスリーブと、
前記スリーブに連結された外返り部材と、
前記外返り部材を前記スリーブ内側の内返り位置から前記スリーブ外側の外返り位置に移動するために、前記スリーブの前記ルーメン内にスライド可能に配置され、且つ前記外返り部材の近位端に接続されたプッシュアセンブリと、
を含むシステム。
【請求項６】
前記外返り部材を前記スリーブに連結するように、前記スリーブの遠位部に配置されたブッシングをさらに含む請求項５に記載のシステム。
【請求項７】
前記スリーブに連結されたアンカー部材であって、前記アンカー部材は、前記膨張ルーメンと流体連通しており、前記膨張ルーメンが、閉塞サイトに近接して前記スリーブを固定するのに十分なアンカー圧力に加圧されると、前記スリーブを閉塞サイト近傍に固定するように、収縮位置から膨張位置に拡張可能なアンカー部材をさらに含む請求項５に記載のシステム。
【請求項８】
前記プッシュアセンブリが、前記外返り部材の前記近位端に接続された内側スリーブ部材と、前記内側スリーブ部材から近位に延在する固いプッシュチューブと、を含む請求項５に記載のシステム。
【請求項９】
前記ルーメンを封止するために、前記ルーメンの壁と前記プッシュアセンブリの壁との間に配置された封止部材をさらに含む請求項５に記載のシステム。
【請求項１０】
前記プッシュアセンブリが、そこを通してガイドワイヤを受容するように構成された内側ルーメンを含む請求項５に記載のシステム。
【請求項１１】
閉塞サイトを横切るアクセスを提供するシステムの組立方法であって、
端部が開いたバルーン材料の内側にブッシングを配置する工程と、
前記ブッシングを通して前記バルーン材料を内返しする工程と、
前記ブッシングと前記バルーン材料のアセンブリをスリーブの中に挿入する工程と、
を含む組立方法。
【請求項１２】
前記バルーン材料の内返しした端部を封止して、バルーンを作成する工程をさらに含む請求項１１に記載の方法。
【請求項１３】
閉塞を開通する方法であって、
スリーブと前記スリーブの膨張ルーメンの中に内返ししたバルーンとを通してガイドワイヤを前進させる工程と、
前記バルーンにより前記ガイドワイヤをグリップする工程と、
前記バルーンによりグリップされた前記ガイドワイヤを遠位に前進させるように、前記バルーンを前記スリーブから外返しする工程と、
を含む方法。
【請求項１４】
前記前進させる工程において、前記スリーブが、前記スリーブに連結されたアンカー部材であって、前記アンカー部材は、前記膨張ルーメンと流体連通しており、前記膨張ルーメンが加圧されると、前記スリーブを閉塞サイト近傍に固定するように、収縮位置から膨張位置に拡張可能なアンカー部材をさらに含む請求項１３に記載の方法。
【請求項１５】
前記外返しする工程が、バルーンを外返し及び再度内返しして、前記ガイドワイヤを周期的に前進及び後退させることを含む請求項１３に記載の方法。
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
ヘアカラー剤を塗布するヘアカラー剤塗布具であって、
使用者が把持できる柄と、
前記柄の先端部に弾性を有する複数の毛からなる毛束を一定間隔で植毛して複数の列を形成した植毛部とからなり、
前記植毛部の列と列の間の各毛束の根本部分にヘアカラー剤を付着させることを特徴とするヘアカラー剤塗布具。
【請求項２】
前記先端部を、前記柄の手元側に位置する第１部分と、該第１部分より先端側に位置し、前記第１部分より幅が狭く、前記第１部分より植毛部の列が少ない第２部分とで構成したことを特徴とする請求項１に記載のヘアカラー剤塗布具。
【請求項３】
前記複数の列の間の前記先端部上に、前記ヘアカラー剤を溜める凹部を設けたことを特徴とする請求項１又は２に記載のヘアカラー剤塗布具。
【請求項４】
前記凹部は、前記植毛部の全体が含まれるように設けたことを特徴とする請求項３に記載のヘアカラー剤塗布具。
【請求項５】
ヘアカラー剤を塗布する美容施術方法において、
請求項１に記載のヘアカラー剤塗布具の植毛部の各毛束の根本部分に前記ヘアカラー剤を付着させる工程と、
前記塗布具の柄を把持し、植毛部の先端を被施術者の毛髪に当てて植毛部で毛髪を梳くようにして、多方向から被施術者の毛髪の必要な個所に前記植毛部に付着させたヘアカラー剤を塗布する工程と
を含むことを特徴とする美容施術方法。
【請求項６】
前記ヘアカラー剤を付着させる工程は、前記塗布具の植毛部の列に沿って付着させる工程を含むことを特徴とする請求項５に記載の美容施術方法。
【請求項７】
前記ヘアカラー剤を塗布する工程は、前記塗布具の先端部の第２部分から第１部分に向かって前記塗布具を動かして、前記植毛部に付着させたヘアカラー剤を塗布する工程を含むことを特徴とする請求項５又は６に記載の美容施術方法。
【請求項８】
前記ヘアカラー剤を塗布する工程は、前記塗布具の植毛部の一方の最外側の列から他方の最外側の列に向かう方向及びその反対方向に前記塗布具を動かして、前記植毛部に付着させたヘアカラー剤を塗布する工程を含むことを特徴とする請求項５から７のいずれかに記載の美容施術方法。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
遊技機の作動を統括的に制御するメイン制御手段と、遊技機の演出に係る画像を表示する画像表示ユニットと、遊技機の演出に係る動作が行われる遊技構成部品とを備えた遊技機であって、
前記画像表示ユニットは、
画像を表示する画像表示パネルと、
前記画像表示パネルを収容保持するパネル収容部材と、
前記パネル収容部材の後面に設けられ、前記メイン制御手段から入力される制御信号に基づいて、前記画像表示パネルにおける画像の表示および前記遊技構成部品の作動を制御する演出制御手段と、
前記パネル収容部材の後面に前記演出制御手段と並んで設けられ、前記遊技構成部品と電気接続するための複数の外部接続部を有し、前記演出制御手段と互いに設けられた接続部を用いて電気接続される中継手段と、
前記演出制御手段の後面側を覆うように前記パネル収容部材に取り付けられる演出制御手段用カバーと、
前記中継手段の後面側を覆うように前記パネル収容部材に取り付けられる中継手段用カバーとを備え、
前記中継手段用カバーは、前記中継手段と係合して前記演出制御手段側にスライド移動されることにより、前記パネル収容部材に取り付けられるとともに、前記中継手段および前記演出制御手段の前記接続部を嵌合させて前記中継手段と前記演出制御手段を電気接続させるように構成されることを特徴とする遊技機。
【請求項２】
前記パネル収容部材は、前記画像表示パネルを収容する本体部材と、前記本体部材に取り付けられて前記画像表示パネルの画面全体を覆う画面保護カバーとを有し、
前記画面保護カバーは、前記本体部材に取り付けられる枠部と、前記画像表示パネルの画面を覆うプレート部とを有し、前記枠部および前記プレート部が透明な樹脂材料を用いて一体に形成されていることを特徴とする請求項１に記載の遊技機。
【請求項３】
前記画像表示ユニットは、前記パネル収容部材と前記演出制御手段の間に設けられる金属製のシールドプレートと、前記演出制御手段と前記演出制御手段用カバーの間に設けられて前記演出制御手段の後面側を覆う金属製のシールドカバーとを備えることを特徴とする請求項１または２に記載の遊技機。
【手続補正２】
【補正対象書類名】明細書
【補正対象項目名】０００７
【補正方法】変更
【補正の内容】
【０００７】
このような目的達成のために、本発明に係る遊技機は、遊技機の作動を統括的に制御するメイン制御手段（例えば、実施形態における主制御基板３４）と、遊技機の演出に係る画像を表示する画像表示ユニット（例えば、実施形態における液晶ユニット４０）と、遊技機の演出に係る動作が行われる遊技構成部品とを備える。その上で、前記画像表示ユニットは、画像を表示する画像表示パネル（例えば、実施形態における液晶表示パネル５１）と、前記画像表示パネルを収容保持するパネル収容部材（例えば、実施形態における液晶パネルケース５３）と、前記パネル収容部材の後面に設けられ、前記メイン制御手段から入力される制御信号に基づいて、前記画像表示パネルにおける画像の表示および前記遊技構成部品の作動を制御する演出制御手段（例えば、実施形態における演出・画像制御基板９０）と、前記パネル収容部材の後面に前記演出制御手段と並んで設けられ、前記遊技構成部品と電気接続するための複数の外部接続部（例えば、実施形態における接続コネクタ１４２，１４３）を有し、前記演出制御手段と互いに設けられた接続部（例えば、実施形態における接続コネクタ９３，１４５）を用いて電気接続される中継手段（例えば、実施形態におけるインターフェース基板１４０）と、前記演出制御手段の後面側を覆うように前記パネル収容部材に取り付けられる演出制御手段用カバー（例えば、実施形態における第１基板カバー１６０）と、前記中継手段の後面側を覆うように前記パネル収容部材に取り付けられる中継手段用カバー（例えば、実施形態における第２基板カバー１６５）とを備える。そして、前記中継手段用カバーは、前記中継手段と係合して前記演出制御手段側にスライド移動されることにより、前記パネル収容部材に取り付けられるとともに、前記中継手段および前記演出制御手段の前記接続部を嵌合させて前記中継手段と前記演出制御手段を電気接続させるように構成される。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
被検体から伝播する音響波を受信して電気信号を出力する複数のトランスデューサと、
前記複数のトランスデューサの少なくとも一部のトランスデューサの指向軸が集まるように前記複数のトランスデューサを支持する支持体と、
前記電気信号を処理し、前記処理された電気信号を用いて前記被検体内の特性情報を取得する処理手段と、
を有し、
前記複数のトランスデューサはそれぞれ複数のサブトランスデューサを含んでおり、
前記処理手段は、１つの前記トランスデューサに含まれる前記複数のサブトランスデューサのそれぞれから出力された前記電気信号の波形を比較し、当該比較の結果に基づいて前記電気信号の処理を補正する
ことを特徴とする被検体情報取得装置。
【請求項２】
前記処理手段は、１つの前記トランスデューサに含まれる前記複数のサブトランスデューサのそれぞれから出力された前記電気信号の波形の時間差を取得する
ことを特徴とする請求項１に記載の被検体情報取得装置。
【請求項３】
前記処理手段は、前記時間差に基づいて前記トランスデューサが前記支持体に設置されたときの角度ずれを検出する
ことを特徴とする請求項２に記載の被検体情報取得装置。
【請求項４】
前記処理手段は、前記時間差に基づいて前記トランスデューサの指向軸の設計値からの角度ずれを検出する
ことを特徴とする請求項２に記載の被検体情報取得装置。
【請求項５】
前記処理手段は、前記特性情報を取得するときに、前記角度ずれの値を用いた補正を行う
ことを特徴とする請求項３または４に記載の被検体情報取得装置。
【請求項６】
前記複数のサブトランスデューサごとに前記時間差を補正する遅延回路をさらに有することを特徴とする請求項２ないし５のいずれか１項に記載の被検体情報取得装置。
【請求項７】
前記トランスデューサは、複数のセルを含む静電容量型の素子であり、
前記複数のサブトランスデューサはそれぞれ、複数の前記セルにより構成される
ことを特徴とする請求項１ないし６のいずれか１項に記載の被検体情報取得装置。
【請求項８】
前記複数のトランスデューサはそれぞれ、圧電素子であり、
前記複数のサブトランスデューサはそれぞれ、前記電気信号を出力する配線を有している
ことを特徴とする請求項１ないし６のいずれか１項に記載の被検体情報取得装置。
【請求項９】
前記処理手段は、前記トランスデューサ単位で前記電気信号に対する処理を行って前記特性情報を取得する
ことを特徴とする請求項１ないし８のいずれか１項に記載の被検体情報取得装置。
【請求項１０】
前記複数のトランスデューサは、前記支持体に疎らに配置されている
ことを特徴とする請求項１ないし９のいずれか１項に記載の被検体情報取得装置。
【請求項１１】
光源と、
前記支持体に設置され、前記光源からの光を照射する照射手段と、
をさらに有し、
前記音響波は、前記光を照射された前記被検体から伝播する光音響波である
ことを特徴とする請求項１ないし１０のいずれか１項に記載の被検体情報取得装置。
【請求項１２】
前記特性情報を表示する表示手段をさらに有する
ことを特徴とする請求項１ないし１１のいずれか１項に記載の被検体情報取得装置。
【手続補正２】
【補正対象書類名】明細書
【補正対象項目名】００３６
【補正方法】変更
【補正の内容】
【００３６】
図５中、符号７６０は、遅延回路７１２および７４２の出力値を比較する上下比較回路である。符号７６１は、遅延回路７２２および７３２の出力値を比較する左右比較回路である。例えば、上下比較回路および左右比較回路はオペアンプを用いた比較回路（コンパレータ）と、比較結果をピークホールド検出するピークホールド回路、ピークホールド検出した電圧を測定するＡ／Ｄコンバータ回路から構成できる。
ここでは、上下比較回路のコンパレータは、＋側入力を上端側サブトランスデューサ７１０側の遅延回路７１２に接続し、−側入力を下端側サブトランスデューサ７４０側の遅延回路７４２に接続するものとする。同様に左右比較回路のコンパレータは、＋側入力を左端側サブトランスデューサ７２０側の遅延回路７２２に接続し、−側入力を右端側サブトランスデューサ７３０側の遅延回路７３２に接続するものとする。
【手続補正３】
【補正対象書類名】明細書
【補正対象項目名】００７４
【補正方法】変更
【補正の内容】
【００７４】
図１１は、実施例１の図７の場合の上端側遅延回路７１２と下端側遅延回路７４２の信号を、信号合成回路７６０で合成した出力信号波形の例である。
図１２は、実施例１の図８と同様に設置角度ずれθ＝１度の場合に、下端側遅延回路７
４２に３４ｎｓの遅延を追加した際の、上端側遅延回路７１２と下端側遅延回路７４２の信号を信号合成回路７６０で合成した出力信号波形の例である。図１２の破線は、遅延を追加する前の信号波形で、図１１の信号波形である。
図１２を見てわかるとおり、信号合成回路７８の出力はピークが向上している。これは、本来想定した向きでの感度が向上することを意味する。